(57)【要約】【課題】作業者が基板を外す時に記憶部が損傷することを抑制しつつ、容易に基板を外すことができるテープカセットを提供する。【解決手段】テープカセット１は、カセットケース５０と基板８０とを有する。カセットケース５０は、上壁５３、下壁、右壁５５、左壁、前壁５７、および後壁を備える。前壁５７から後方にヘッド挿入部６１が凹む。右壁５５には、配置部７０が設けられる。基板８０の第二面には、ＩＣチップが設けられる。基板８０は、第一面８０Ａが右方を向いた状態で、配置部７０と基板８０との間に接着層を介在させて、配置部７０に配置される。接着層は、カセットケース５０の外部に露出する。【選択図】図１
2019038179.tif 000002
【特許請求の範囲】
【請求項１】
第一外壁と第二外壁と第三外壁と第四外壁と第五外壁と第六外壁とを有し、前記第一外壁と前記第二外壁とは、平行に延び、かつ、互いに前記第一外壁および前記第二外壁と直交する第一方向に並び、前記第三外壁と前記第四外壁とは、平行に延び、かつ、互いに前記第三外壁および前記第四外壁と直交する第二方向に並び、前記第五外壁と前記第六外壁とは、平行に延び、かつ、互いに前記第五外壁および前記第六外壁と直交する第三方向に並び、前記第一方向、前記第二方向、および前記第三方向は、それぞれ、互いに交差する、箱状のカセットケースと、
前記カセットケースの内部に収納されたテープと、
第一面と、前記第一面とは反対側の第二面とを有し、前記第二面に記憶部が設けられた基板と
を備え、
前記第三外壁には、前記第二方向のうち前記第三外壁から前記第四外壁に向かう第四方向に凹み、前記第二方向と交差する底壁を有する第一凹部が設けられ、
前記底壁には、前記第四方向に凹む第二凹部、または前記第四方向に貫通する孔が設けられ、
前記基板は、前記第四方向とは反対方向を前記第一面が向いた状態で、前記底壁と前記第二面との間に接着層を介在させて、前記第一凹部に配置され、
前記記憶部、または前記記憶部を保護するモールド部は、前記第二凹部または前記孔に配置され、
前記第一凹部には、前記第二方向における所定位置において、前記接着層の少なくとも一部が前記第一方向に露出する開口部が設けられ、
前記カセットケースには、前記所定位置において、前記記憶部または前記モールド部と前記第一方向に重なる遮蔽部材が設けられることを特徴とするテープカセット。
【請求項２】
前記遮蔽部材は、前記記憶部または前記モールド部の全部と、前記第一方向に重なることを特徴とする請求項１に記載のテープカセット。
【請求項３】
前記遮蔽部材は、前記記憶部または前記モールド部のうち前記第四方向側の端部と、前記第一方向に重なることを特徴する請求項１に記載のテープカセット。
【請求項４】
前記カセットケースは、互いに前記第一方向に並ぶ第一ケースおよび第二ケースからなり、
前記第一ケースは、少なくとも前記第一外壁を含み、
前記第二ケースは、少なくとも前記第二外壁を含み、
前記遮蔽部材は、前記第一ケースまたは前記第二ケースと一体であることを特徴とする請求項３に記載のテープカセット。
【請求項５】
前記テープを排出する開口である排出口を備え、
前記排出口は、前記第四外壁に設けられ、
前記第一凹部は、前記第三外壁に設けられ、
前記排出口の少なくとも一部と前記第一凹部の少なくとも一部とは、互いに前記第二方向に重なることを特徴とする請求項１から４のいずれかに記載のテープカセット。
【請求項６】
前記接着層は、前記基板のうち前記開口部側の端部とは異なる部分にのみ設けられることを特徴とする請求項１から５のいずれかに記載のテープカセット。
【請求項７】
前記接着層は、基材と、前記基材の両面に形成された粘着層とを有する両面粘着テープであることを特徴とする請求項１から６のいずれかに記載のテープカセット。
【請求項８】
前記底壁は、前記第三方向に、前記第二凹部または前記孔を挟んで並ぶ第一底壁および第二底壁を備え、
前記基板は、前記第一底壁および前記第二底壁のそれぞれと前記第二面との間に前記接着層を介在させて前記第一凹部に配置されることを特徴とする請求項１から７のいずれかに記載のテープカセット。
【請求項９】
前記底壁は、前記第二面と平行に延びることを特徴とする請求項１から８のいずれかに記載のテープカセット。
【請求項１０】
前記基板の全部は、前記第二方向から見て、前記第三外壁の端部によって囲まれた領域の内側に配置されることを特徴とする請求項１から９のいずれかに記載のテープカセット。
【請求項１１】
第一外壁と第二外壁と第三外壁と第四外壁と第五外壁と第六外壁とを有し、前記第一外壁と前記第二外壁とは、平行に延び、かつ、互いに前記第一外壁および前記第二外壁と直交する第一方向に並び、前記第三外壁と前記第四外壁とは、平行に延び、かつ、互いに前記第三外壁および前記第四外壁と直交する第二方向に並び、前記第五外壁と前記第六外壁とは、平行に延び、かつ、互いに前記第五外壁および前記第六外壁と直交する第三方向に並び、前記第一方向、前記第二方向、および前記第三方向は、それぞれ、互いに交差する、箱状のカセットケースと、
前記カセットケースの内部に収納されたテープと、
前記第五外壁に設けられ、前記第五外壁から前記第六外壁に向って凹む凹部であって、前記第五外壁から前記第六外壁に向かって延びる第一側壁と、前記第五外壁から前記第六外壁に向かって延び、かつ前記第四外壁との間の距離が前記第一側壁よりも小さい第二側壁とを有する特定凹部と、
前記カセットケースの内部から外部に前記テープを排出する開口である第一排出口と、
前記第一排出口から排出された前記テープが進入する開口である進入口と、
前記進入口から進入した前記テープを外部に排出する開口である第二排出口と、
第一面と、前記第一面とは反対側の第二面とを有し、前記第二面に記憶部が設けられた基板と、
前記第三外壁に設けられ、前記基板が配置される配置部と
を備え、
前記第一排出口は、前記第一側壁に設けられ、
前記進入口は、前記第二側壁に設けられ、
前記第二排出口は、前記第四外壁に設けられ、
前記基板は、前記第二方向のうち前記第三外壁から前記第四外壁に向かう第四方向とは反対方向を前記第一面が向いた状態で、前記配置部と前記基板との間に接着層を介在させて、前記配置部に配置され、
前記接着層は、前記カセットケースの外部に露出することを特徴とするテープカセット。
【請求項１２】
前記第六外壁の少なくとも一部は、平面であることを特徴とする請求項１１に記載のテープカセット。
【請求項１３】
前記カセットケースを、第一領域、第二領域、第三領域と、前記第三方向のうち前記第六外壁から前記第五外壁に向かって、この順に三等分した場合、前記特定凹部および前記配置部は、それぞれ前記第三領域に配置されることを特徴とする請求項１１または１２に記載のテープカセット。
【請求項１４】
前記配置部は、前記第四方向に凹み、前記第二方向と交差する底壁を有する第一凹部であり、
前記第一凹部のうち前記第一方向の少なくとも一方側には、前記接着層が前記カセットケースの外部に露出する開口部が設けられることを特徴とする請求項１１から１３のいずれかに記載のテープカセット。
【請求項１５】
前記配置部は、前記第四方向に凹み、前記第二方向と交差する底壁を有する第一凹部であり、
前記第一凹部のうち前記第三方向の少なくとも一方側には、前記接着層が前記カセットケースの外部に露出する開口部が設けられることを特徴とする請求項１１から１３のいずれかに記載のテープカセット。
【請求項１６】
前記配置部は、前記第四方向に凹み、前記第二方向と交差する底壁を有する第一凹部であり、
前記第一凹部のうち前記第一方向の少なくとも一方側および前記第一凹部のうち前記第三方向の少なくとも一方側には、前記接着層が前記カセットケースの外部に露出する開口部が設けられることを特徴とする請求項１１から１３のいずれかに記載のテープカセット。
【請求項１７】
前記基板は、
前記第一面または前記第二面側から見て長方形状であり、
前記基板の長手方向が前記第二方向に一致する状態で前記第一凹部に配置され、
前記開口部は、前記基板の短手方向の一方側に設けられることを特徴とする請求項１４または１５に記載のテープカセット。
【請求項１８】
前記基板は、
前記第一面または前記第二面側から見て長方形状であり、
前記基板の長手方向が前記第二方向に一致する状態で前記第一凹部に配置され、
前記開口部は、前記基板の長手方向の一方側に設けられることを特徴とする請求項１４または１５に記載のテープカセット。
【請求項１９】
前記底壁には、前記第四方向に凹む第二凹部、または前記第四方向に貫通する孔が設けられ、
前記第二凹部または前記孔は、前記第一方向または前記第二方向に延び、
前記記憶部、または前記記憶部を保護するモールド部は、前記第二凹部または前記孔に配置され、
前記開口部は、前記第二凹部または前記孔の延伸方向の少なくとも一方に設けられることを特徴とする請求項１４から１６のいずれかに記載のテープカセット。
【請求項２０】
前記底壁には、前記第四方向に凹む第二凹部、または前記第四方向に貫通する孔が設けられ、
前記第二凹部または前記孔は、前記第一方向または前記第二方向に延び、
前記記憶部、または前記記憶部を保護するモールド部は、前記第二凹部または前記孔に配置され、
前記開口部は、前記底壁に平行、かつ前記第二凹部または前記孔の延伸方向と直交する方向の少なくとも一方に設けられることを特徴とする請求項１４から１６のいずれかに記載のテープカセット。
【請求項２１】
前記開口部は、前記底壁と平行に延びる開口壁を有し、
前記開口壁は、前記底壁よりも前記第四方向側に配置されることを特徴とする請求項１４から２０のいずれかに記載のテープカセット。
【請求項２２】
前記開口部は、前記底壁と平行に延びる開口壁を有し、
前記開口壁は、前記底壁よりも前記第四方向とは反対側に配置されることを特徴とする請求項１４から２０のいずれかに記載のテープカセット。
【請求項２３】
前記開口部は、前記底壁と平行に延びる開口壁を有し、
前記開口壁は、前記第二方向において前記底壁と同じ位置に配置されることを特徴とする請求項１４から２０のいずれかに記載のテープカセット。
【請求項２４】
前記第五外壁と前記第六外壁との間の第一距離は、前記第一外壁および前記第二外壁との間の第二距離よりも大きく、
前記第三外壁と前記第四外壁との間の第三距離は、前記第一距離よりも大きいことを特徴とする請求項１から２３のいずれかに記載のテープカセット。
【請求項２５】
前記第一外壁と前記第二外壁との間には、前記第一方向に延び、前記テープが巻回されたテープロールを支持する支持部が設けられることを特徴とする請求項１から２４のいずれかに記載のテープカセット。
【請求項２６】
前記第一面には、前記記憶部と電気的に接続された導電性端子が設けられることを特徴とする請求項１から２５のいずれかに記載のテープカセット。
【発明の詳細な説明】
【技術分野】
【０００１】
本発明は、テープカセットに関する。
【背景技術】
【０００２】
従来、印刷に用いられるテープカセットが知られている。例えば、特許文献１に記載のテープカセットは、箱状のカセットケースを備える。カセットケースの内部には、印刷に用いられるテープが収納される。
【先行技術文献】
【特許文献】
【０００３】
【特許文献１】特開２０１２−２３２４６２号公報
【発明の概要】
【発明が解決しようとする課題】
【０００４】
例えば、上記テープカセットにおいて、テープカセットに関する情報等を記憶する記憶部を基板に搭載し、カセットケースの外壁に基板を配置することが考えられる。この場合、基板を再利用するため、作業者が基板を外壁から外すことが考えられる。この場合、作業者が基板を外壁から容易に外せるようにする必要がある。基板を外壁から外す際には、記憶部が損傷しないようにする必要がある。
【０００５】
本発明の目的は、作業者が基板を外す時に記憶部が損傷することを抑制しつつ、容易に基板を外すことができるテープカセットを提供することである。
【課題を解決するための手段】
【０００６】
本発明の第一態様に係るテープカセットは、第一外壁と第二外壁と第三外壁と第四外壁と第五外壁と第六外壁とを有し、前記第一外壁と前記第二外壁とは、平行に延び、かつ、互いに前記第一外壁および前記第二外壁と直交する第一方向に並び、前記第三外壁と前記第四外壁とは、平行に延び、かつ、互いに前記第三外壁および前記第四外壁と直交する第二方向に並び、前記第五外壁と前記第六外壁とは、平行に延び、かつ、互いに前記第五外壁および前記第六外壁と直交する第三方向に並び、前記第一方向、前記第二方向、および前記第三方向は、それぞれ、互いに交差する、箱状のカセットケースと、前記カセットケースの内部に収納されたテープと、第一面と、前記第一面とは反対側の第二面とを有し、前記第二面に記憶部が設けられた基板とを備え、前記第三外壁には、前記第二方向のうち前記第三外壁から前記第四外壁に向かう第四方向に凹み、前記第二方向と交差する底壁を有する第一凹部が設けられ、前記底壁には、前記第四方向に凹む第二凹部、または前記第四方向に貫通する孔が設けられ、前記基板は、前記第四方向とは反対方向を前記第一面が向いた状態で、前記底壁と前記第二面との間に接着層を介在させて、前記第一凹部に配置され、前記記憶部、または前記記憶部を保護するモールド部は、前記第二凹部または前記孔に配置され、前記第一凹部には、前記第二方向における所定位置において、前記接着層の少なくとも一部が前記第一方向に露出する開口部が設けられ、前記カセットケースには、前記所定位置において、前記記憶部または前記モールド部と前記第一方向に重なる遮蔽部材が設けられる。
【０００７】
上記テープカセットでは、第二方向における所定位置において、接着層の少なくとも一部が開口部から第一方向に露出している。このため、第一凹部から基板を外す際、作業者は、所定位置において開口部から工具を接着層に差し込むことができる。これにより、作業者は、第一凹部から基板を容易に外すことができる。所定位置において、遮蔽部材が記憶部またはモールド部と第一方向に重なっている。このため、テープカセットは、作業者が所定位置において開口部から工具を接着層に差し込んだ場合に、工具が記憶部またはモールド部に接触することを抑制できる。よって、テープカセットは、作業者が基板を外す時に記憶部が損傷することを抑制しつつ、容易に基板を外すことができる。
【０００８】
本発明の第二態様に係るテープカセットは、第一外壁と第二外壁と第三外壁と第四外壁と第五外壁と第六外壁とを有し、前記第一外壁と前記第二外壁とは、平行に延び、かつ、互いに前記第一外壁および前記第二外壁と直交する第一方向に並び、前記第三外壁と前記第四外壁とは、平行に延び、かつ、互いに前記第三外壁および前記第四外壁と直交する第二方向に並び、前記第五外壁と前記第六外壁とは、平行に延び、かつ、互いに前記第五外壁および前記第六外壁と直交する第三方向に並び、前記第一方向、前記第二方向、および前記第三方向は、それぞれ、互いに交差する、箱状のカセットケースと、前記カセットケースの内部に収納されたテープと、前記第五外壁に設けられ、前記第五外壁から前記第六外壁に向って凹む凹部であって、前記第五外壁から前記第六外壁に向かって延びる第一側壁と、前記第五外壁から前記第六外壁に向かって延び、かつ前記第四外壁との間の距離が前記第一側壁よりも小さい第二側壁とを有する特定凹部と、前記カセットケースの内部から外部に前記テープを排出する開口である第一排出口と、前記第一排出口から排出された前記テープが進入する開口である進入口と、前記進入口から進入した前記テープを外部に排出する開口である第二排出口と、第一面と、前記第一面とは反対側の第二面とを有し、前記第二面に記憶部が設けられた基板と、前記第三外壁に設けられ、前記基板が配置される配置部とを備え、前記第一排出口は、前記第一側壁に設けられ、前記進入口は、前記第二側壁に設けられ、前記第二排出口は、前記第四外壁に設けられ、前記基板は、前記第二方向のうち前記第三外壁から前記第四外壁に向かう第四方向とは反対方向を前記第一面が向いた状態で、前記配置部と前記基板との間に接着層を介在させて、前記配置部に配置され、前記接着層は、前記カセットケースの外部に露出する。
【０００９】
上記テープカセットでは、第五外壁と第六外壁とは、互いに前後方向に並ぶ。第五外壁には特定凹部が設けられているので、作業者は、例えば特定凹部と第六外壁とを持つことで、カセットケースを確実に保持できる。配置部が第三外壁に設けられており、接着層がカセットケースの外部に露出しているので、作業者は、特定凹部と第六外壁とを持った状態で接着層を容易に視認できる。このため、作業者は、記憶部を触らずに配置部から基板を容易に外すことができる。よって、テープカセットは、作業者が基板を外す時に記憶部が損傷することを抑制しつつ、容易に基板を外すことができる。
【図面の簡単な説明】
【００１０】
【図１】テープカセット１を前右上側から見た斜視図である。
【図２】ラミネートタイプのテープカセット１（上ケース５１を除く）の平面図である。
【図３】基板８０を第二面８０Ｂ側から見た図である。
【図４】実施形態のテープカセット１の右前部を模式的に示した平面図である。
【図５】図４のＡ１−Ａ１線矢視方向におけるテープカセット１を模式的に示した断面図である。
【図６】第一変形例のテープカセット１の右前部を模式的に示した平面図である。
【図７】図６のＡ２−Ａ２線矢視方向におけるテープカセット１を模式的に示した断面図である。
【図８】第二変形例のテープカセット１の右前部を模式的に示した平面図である。
【図９】図８のＡ３−Ａ３線矢視方向におけるテープカセット１を模式的に示した断面図である。
【図１０】第三変形例のテープカセット１の右前部を模式的に示した平面図である。
【図１１】図１０のＡ４−Ａ４線矢視方向におけるテープカセット１を模式的に示した断面図である。
【図１２】第四変形例のテープカセット１の右前部を模式的に示した平面図である。
【図１３】図１２のＡ５−Ａ５線矢視方向におけるテープカセット１を模式的に示した断面図である。
【図１４】第五変形例のテープカセット１の右前部を模式的に示した平面図である。
【図１５】図１４のＡ６−Ａ６線矢視方向におけるテープカセット１を模式的に示した断面図である。
【発明を実施するための形態】
【００１１】
本発明の一実施形態を、図面を参照して説明する。参照する図面は、本発明が採用しうる技術的特徴を説明するために用いられるものである。図面に記載されている構成は、それのみに限定する趣旨ではなく、単なる説明例である。以下説明で使用する「同一形状」および「同じ位置」とは、それぞれ、完全に同一の形状のものおよび完全に同じ位置にあるものに限定する趣旨ではなく、実質的に同一の形状のものおよび実質的に同じ位置にあるものも含む趣旨である。「平行」および「直交」とは、それぞれ、完全に平行および直交するものに限定する趣旨ではなく、実質的に平行および直交するものも含む趣旨である。
【００１２】
図１および図２を参照し、テープカセット１を説明する。以下の説明では、図１の左上側、右下側、左下側、右上側、上側、および下側を、それぞれ、テープカセット１の左側、右側、前側、後側、上側、および下側とする。テープカセット１は、印刷装置（図示略）による印刷に使用される。テープカセット１は、カセットケース５０の内部に収納される長尺状の印刷媒体の種類（例えば、両面粘着テープ６、フィルムテープ７、片面粘着テープ、感熱紙テープ、チューブテープ）、インクリボン４の有無等を適宜変更することによって、ラミネートタイプ、レセプタタイプ、サーマルタイプ、チューブタイプ等に実装可能である。以下では、ラミネートタイプに実装したテープカセット１を例示する。
【００１３】
図１に示すように、テープカセット１は、カセットケース５０を備える。カセットケース５０は、略直方体状の箱状であり、上ケース５１と下ケース５２とを有する。上ケース５１および下ケース５２は、互いに上下方向に並び、下ケース５２の上側に上ケース５１が組み付けられる。上ケース５１は、上壁５３と周壁５９Ａとを有する。下ケース５２は、下壁５４（図２参照）と周壁５９Ｂとを有する。上壁５３および下壁５４は、それぞれ、前後左右と平行に延びる。下壁５４は、上壁５３の下側に並んで配置される。
【００１４】
周壁５９Ａは、上壁５３の周縁から下側に延びる。周壁５９Ｂは、下壁５４の周縁から上側に延びる。周壁５９Ａ、５９Ｂは、上ケース５１が下ケース５２に組み付けられた状態で、右壁５５、左壁５６（図２参照）、前壁５７、および後壁５８（図２参照）を形成する。右壁５５および左壁５６は、それぞれ、前後上下と平行に延びる。左壁５６は、右壁５５の左側に並んで配置される。前壁５７および後壁５８は、それぞれ、上下左右と平行に延びる。後壁５８は、前壁５７の後側に並んで配置される。
【００１５】
上壁５３、下壁５４、右壁５５、左壁５６、前壁５７、および後壁５８は、それぞれ、カセットケース５０の外側を向く外壁である。前壁５７と後壁５８との間の距離Ｌ１は、上壁５３と下壁５４との間の距離Ｌ２よりも大きい。右壁５５と左壁５６との間の距離Ｌ３は、距離Ｌ１よりも大きい。
【００１６】
図２に示すように、前壁５７には、ヘッド挿入部６１が設けられる。以下、カセットケース５０を、前後方向に三等分した場合の領域を、後方から前方に向かう順に、「第一領域Ｒ１」、「第二領域Ｒ２」、「第三領域Ｒ３」とする。ヘッド挿入部６１は、第三領域Ｒ３に配置される。
【００１７】
ヘッド挿入部６１は、前壁５７の左端部近傍から後方に凹み、右方に延びる。ヘッド挿入部６１は、カセットケース５０を上下方向に貫通する。ヘッド挿入部６１は、第一側壁６１Ａと第二側壁６１Ｂと接続壁６１Ｃとを備える。第一側壁６１Ａは、前壁５７の左右方向の中央部よりもやや左側の部分から後方に延び、左方を向く。第二側壁６１Ｂは、平面視で前壁５７の左壁５６と第一側壁６１Ａとの間の部分から後方に延び、右方を向く。第二側壁６１Ｂは、第一側壁６１Ａの左側に配置される。すなわち、左壁５６と第二側壁６１Ｂとの間の距離は、左壁５６と第一側壁６１Ａとの間の距離よりも小さい。接続壁６１Ｃは、第一側壁６１Ａの後端部から右方に延び、後方に延び、左方に延びて第二側壁６１Ｂの後端部に接続する。
【００１８】
第一側壁６１Ａには、第一排出口６３が形成される。第一排出口６３は、上下方向に延びる開口であり、カセットケース５０の内部から外部にフィルムテープ７およびインクリボン４を排出する。
【００１９】
第二側壁６１Ｂには、進入口６４Ａが設けられる。進入口６４Ａは、第三領域Ｒ３において、第一排出口６３よりもフィルムテープ７の搬送方向下流側に配置される。進入口６４Ａは、上下方向に延びる開口であり、第一排出口６３から排出されたフィルムテープ７およびインクリボン４をカセットケース５０の内部に進入させ、互いに分離する。フィルムテープ７およびインクリボン４は、第一排出口６３と進入口６４Ａとの間で外部に露出する。ヘッド挿入部６１とフィルムテープ７およびインクリボン４によって囲まれた空間には、印刷装置のサーマルヘッドが挿入される。
【００２０】
左壁５６の前端部には、第二排出口６４Ｂが設けられる。第二排出口６４Ｂは、第三領域Ｒ３において、進入口６４Ａよりもフィルムテープ７の搬送方向下流側に配置される。第二排出口６４Ｂは、上下方向に延びる開口であり、進入口６４Ａから進入したフィルムテープ７と両面粘着テープ６とが互いに重ね合わさったテープを外部へと排出する。
【００２１】
図１および図２に示すように、右壁５５には、配置部７０およびリブ６５Ａ、６５Ｂ、６５Ｃが設けられる。配置部７０は、第三領域Ｒ３に配置される。配置部７０には、基板８０が配置される。配置部７０および基板８０の詳細は後述する。
【００２２】
リブ６５Ａ、６５Ｂ、６５Ｃは、それぞれ、基板８０から後方にずれた位置に設けられ、カセットケース５０の外側（すなわち、右側）に向けて基板８０よりも右側まで右壁５５から突出する。リブ６５Ａは、配置部７０の後側近傍から右壁５５の前後方向の中央部よりも後側まで、右壁５５の上下方向の中央部を前後方向に延びる。リブ６５Ｂは、リブ６５Ａの前端部に接続し、右壁５５の上端部と右壁５５の下端部との間で上下方向に延びる。リブ６５Ｃは、リブ６５Ａの後端部に接続し、右壁５５の上端部と右壁５５の下端部との間で上下方向に延びる。
【００２３】
図２に示すように、左壁５６には、リブ６６Ａ、６６Ｂ、６６Ｃが設けられる。リブ６６Ａ、６６Ｂ、６６Ｃは、それぞれ、基板８０から後方にずれた位置に設けられ、カセットケース５０の外側（すなわち、左側）に向けて左壁５６から突出する。リブ６６Ａは、左壁５６の前後方向の中央部を挟んで前後方向に延びる。リブ６６Ｂは、リブ６６Ａの前端部に接続し、左壁５６の上端部と左壁５６の下端部との間で上下方向に延びる。リブ６６Ｃは、リブ６６Ａの後端部に接続し、左壁５６の上端部と左壁５６の下端部との間で上下方向に延びる。
【００２４】
後壁５８の左右方向の中央部よりも右側には、凹部６８が設けられる。凹部６８は、後壁５８から前方に凹む。後壁５８は、凹部６８を除き、平面である。
【００２５】
図１および図２に示すように、カセットケース５０は、テープ駆動ローラ４６と支持部４９Ａ〜４９Ｄとを有する。テープ駆動ローラ４６は、上壁５３と下壁５４との間で上下方向に延びる筒状体であり、カセットケース５０の左前角部に配置される。テープ駆動ローラ４６は、上壁５３および下壁５４によって回転可能に支持される。支持部４９Ａは、上壁５３と下壁５４との間で上下方向に延びる筒状体である。支持部４９Ｂ、４９Ｃは、上壁５３と下壁５４との間で上下方向に延びる軸体である。支持部４９Ｄは、上壁５３および下壁５４をそれぞれ上下方向に貫通する。
【００２６】
図２に示すように、支持部４９Ａは、テープ駆動ローラ４６の後方斜め右側に配置され、第一テープスプール４０を回転可能に支持する。第一テープスプール４０には、第一のテープが巻回される。支持部４９Ｂは、支持部４９Ａの右側に配置され、第二テープスプール４１を回転可能に支持する。第二テープスプール４１には、第二のテープが巻回される。支持部４９Ｃは、支持部４９Ｂの前方斜め右側に配置され、リボンスプール４２を回転可能に支持する。リボンスプール４２には、未使用のインクリボン４が巻回される。支持部４９Ｄは、支持部４９Ｂの前方斜め左側に配置され、リボン巻取スプール４４を回転可能に支持する。リボン巻取スプール４４には、使用済みのインクリボン４が巻き取られて巻回される。
【００２７】
ラミネートタイプのテープカセット１では、支持部４９Ａは、第一のテープとして両面粘着テープ６が巻回された第一テープスプール４０（以下、「両面粘着ロール６Ａ」という。）を支持する。支持部４９Ｂは、第二のテープとしてフィルムテープ７が巻回された第二テープスプール４１（以下、「フィルムロール７Ａ」という。）を支持する。支持部４９Ｃは、未使用のインクリボン４が巻回されたリボンスプール４２（以下、「リボンロール４Ａ」という。）を支持する。
【００２８】
両面粘着ロール６Ａ、フィルムロール７Ａ、およびリボンロール４Ａは、それぞれ、両面粘着テープ６、フィルムテープ７、およびインクリボン４の供給源である。両面粘着ロール６Ａ、フィルムロール７Ａ、およびリボンロール４Ａは、それぞれ、両面粘着テープ６、フィルムテープ７、およびインクリボン４の幅方向がカセットケース５０の上下方向と一致する向きで、カセットケース５０の内部に収納される。
【００２９】
図２に示すように、リボンロール４Ａの右前側には、複数（本実施形態では、４つ）の屈曲ピン４５が前後方向に並んで設けられる。複数の屈曲ピン４５は、それぞれ、上下方向に延びる円柱状であり、下壁５４に固定される。複数の屈曲ピン４５は、それぞれ、フィルムテープ７の搬送経路を規定する。フィルムテープ７の搬送経路は、フィルムロール７Ａから前方に延び、複数の屈曲ピン４５を経由して左側に曲がり、第一排出口６３を経由して第二排出口６４Ｂまで延びる。
【００３０】
図１から図５を参照し、基板８０および配置部７０を説明する。図１に示すように、基板８０は、一方に長い長方形状であり、第一面８０Ａと第二面８０Ｂ（図３参照）とを有する。第二面８０Ｂは、第一面８０Ａとは反対側を向く。第一面８０Ａには、一対の導電性端子８１が設けられる。一対の導電性端子８１は、いずれも金属端子であり、互いに間に所定の隙間を空けて基板８０の長手方向（以下、「Ｙ１方向」という。図３参照）に並ぶ。一対の導電性端子８１は、基板８０の短手方向（以下、「Ｙ２方向」という。図３参照）に長い矩形状であり、互いに同一形状である。一対の導電性端子８１のそれぞれのＹ２方向の一方側（例えば、図３の上側）の端部は、Ｙ２方向において同じ位置にある。一対の導電性端子８１のそれぞれのＹ２方向の他方側（例えば、図３の下側）の端部は、Ｙ２方向において同じ位置にある。
【００３１】
図３に示すように、第二面８０Ｂには、ＩＣチップ８２と一対のコンデンサ８３とモールド部８４とが設けられる。ＩＣチップ８２は、一対のコンデンサ８３を介在させて、一対の導電性端子８１のそれぞれと電気的に接続される。ＩＣチップ８２は、テープカセット１の種類（ラミネートタイプ等）、テープの種類（色、テープ幅等）等の各種情報を記憶できる。一対のコンデンサ８３は、特定の周波数を通過させる。モールド部８４は、ＩＣチップ８２を覆う樹脂部材であり、ＩＣチップ８２を保護する。
【００３２】
以下、図３の右側を、Ｙ１方向の一方とし、図３の左側を、Ｙ１方向の他方とする。Ｙ１方向に第二面８０Ｂを三等分した場合の領域を、Ｙ１方向の一方（図３の右側）から他方（図３の左側）に向かう順に、「第一基板領域Ｓ１」、「第二基板領域Ｓ２」、「第三基板領域Ｓ３」とする。ＩＣチップ８２、コンデンサ８３、およびモールド部８４は、いずれも第二基板領域Ｓ２に配置される。
【００３３】
図２に示すように、配置部７０は、右壁５５から左方に凹む。配置部７０は、右壁５５のうち前壁５７と隣接する位置に配置される。配置部７０の前端部近傍は、第二排出口６４Ｂと左右方向に重なる。
【００３４】
配置部７０は、第一壁７１と逃がし凹部７２と第二壁７３とを有する。第一壁７１および第二壁７３は、逃がし凹部７２を間に挟んで前後方向に並ぶ。第一壁７１、逃がし凹部７２、および第二壁７３は、後方から前方に向かってこの順で並び、配置部７０の底壁を形成する。第一壁７１および第二壁７３は、右壁５５よりも左側に配置され、左右方向に直交して延びる。逃がし凹部７２は、第三領域Ｒ３に配置され、第一壁７１および第二壁７３から左方に凹む。逃がし凹部７２は、上下方向に延びる。すなわち、逃がし凹部７２の延伸方向は、上下方向である。逃がし凹部７２の一部は、第二排出口６４Ｂと左右方向に重なる。
【００３５】
図４および図５に示すように、配置部７０の上端部および前端部には、それぞれ、開口部７４、７５が設けられる。開口部７４は、開口壁７４Ａ、７４Ｂを有する。開口壁７４Ａは、前壁５７の上端部から下方および後方に延び、右方を向く。開口壁７４Ｂは、開口壁７４Ａの後端部から右側に右壁５５まで延び、前方を向く。
【００３６】
仮想線Ｋ１は、第一壁７１および第二壁７３のそれぞれを通って前後方向に延びる。すなわち、仮想線Ｋ１は、第一壁７１および第二壁７３の左右方向の位置を示す。仮想線Ｋ２は、開口壁７４Ａを通って前後方向に延びる。すなわち、仮想線Ｋ２は、開口壁７４Ａの左右方向の位置を示す。仮想線Ｋ３は、モールド部８４の左端部を通って前後方向に延びる。すなわち、仮想線Ｋ３は、モールド部８４の左端部の左右方向の位置を示す。
【００３７】
仮想線Ｋ２は、仮想線Ｋ１よりも左側に配置される。仮想線Ｋ３は、仮想線Ｋ２よりも左側に配置される。
【００３８】
図２に示すように、基板８０は、Ｙ１方向（図３参照）とテープカセット１の前後方向とを平行にし、かつ、第一面８０Ａが右方を向いた状態で、配置部７０に配置される。基板８０は、Ｙ１方向の一方（図３の右側）がテープカセット１の後方および前方のいずれを向いた状態でも配置部７０に配置できる。
【００３９】
以下、基板８０が配置部７０に配置された状態を基準に説明する。図３および図４に示すように、第一壁７１および第二壁７３のそれぞれと第二面８０Ｂとの間には接着層８９が配置される。第二面８０Ｂの上端部８０Ｃおよび前端部８０Ｄには、接着層８９は設けられない。すなわち、第二面８０Ｂのうち開口部７４、７５側の端部（すなわち、上端部８０Ｃおよび前端部８０Ｄ）とは異なる部分にのみ、接着層８９が設けられる。接着層８９は、両面粘着テープであり、基材と粘着層とを有する。基材は帯状である。粘着層は基材の両面に形成される。基板８０は、接着層８９を介在させて、第一壁７１および第二壁７３にまたがって配置される。上端部８０Ｃおよび前端部８０Ｄにおいて、接着層８９が介在しないので、第一壁７１および第二壁７３のそれぞれと第二面８０Ｂとの間には隙間が形成される。モールド部８４およびＩＣチップ８２は、逃がし凹部７２に配置される。第一壁７１および第二壁７３は、それぞれ、第二面８０Ｂと平行に延びる。右壁５５および第一面８０Ａは、左右方向において同じ位置に配置される。
【００４０】
仮想線Ｋ２が仮想線Ｋ１よりも左側に配置されているので、接着層８９の上端部は、左右方向における全部が開口部７４から上方に露出し、接着層８９の前端部は、左右方向における全部が開口部７５から前方に露出する。仮想線Ｋ３が仮想線Ｋ２よりも左側に配置されているので、モールド部８４の左端部は、上ケース５１と上下方向に重なる。すなわち、上壁５３は、モールド部８４の左端部のみ上方から覆う。
【００４１】
基板８０の全部は、側面視で右壁５５の周端部によって囲まれた矩形領域の内側に配置される（図１参照）。すなわち、基板８０は、側面視で右壁５５の周端部から外側に出っ張っていない。
【００４２】
図２に示すように、基板８０は、第三領域Ｒ３に配置される。基板８０の前後方向の中心は、第二排出口６４Ｂの前後方向の中心よりも前方にある。基板８０の一部は、第二排出口６４Ｂと左右方向に重なる。詳細には、一対の導電性端子８１のうち前側の導電性端子は、第二排出口６４Ｂと左右方向に重なる。
【００４３】
以上説明したように、前壁５７と後壁５８とは、互いに前後方向に並ぶ。前壁５７にはヘッド挿入部６１が設けられているので、作業者は、例えばヘッド挿入部６１と後壁５８とを持つことで、カセットケース５０を確実に保持できる。配置部７０が右壁５５に設けられており、接着層８９が開口部７４、７５からカセットケース５０の外部に露出しているので、作業者は、ヘッド挿入部６１と後壁５８とを持った状態で接着層８９を容易に視認できる。このため、作業者は、開口部７４、７５から工具（例えば、マイナスドライバ）を接着層８９に差し込んだ場合に、モールド部８４を触らずに配置部７０から基板８０を容易に外すことができる。よって、テープカセット１は、作業者が配置部７０から基板８０を外す時にＩＣチップ８２が損傷することを抑制しつつ、容易に基板８０を外すことができる。
【００４４】
後壁５８は、凹部６８を除き、平面である。このため、作業者は、後壁５８の凹部６８とは異なる部分の平面に指を沿わせてカセットケース５０を確実に保持できる。よって、テープカセット１は、後壁５８に指を沿わす部分が設けられていない場合に比べて、作業者が配置部７０から基板８０を外す作業を円滑に進行できる。
【００４５】
例えば、作業者は後壁５８に親指を沿わし、かつヘッド挿入部６１に他の指をかけることで、カセットケース５０を保持し、配置部７０から基板８０を外す作業をする場合がある。この場合、ヘッド挿入部６１および配置部７０が、それぞれ、第三領域Ｒ３に配置されているので、親指から離隔した位置に基板８０が配置される。これにより、親指によって作業者の視線が基板８０から遮られることが抑制される。よって、テープカセット１は、作業者が配置部７０から基板８０を外す作業を円滑に進行できる。
【００４６】
配置部７０は、右壁５５から左方に凹んでおり、配置部７０には基板８０が配置される。このため、配置部７０が右壁５５から左方に凹んでない場合に比べて、基板８０が右壁５５よりも右側に出っ張る量が小さくなる。本実施形態では、右壁５５および第一面８０Ａが左右方向において同じ位置に配置されているので、基板８０は、右壁５５よりも右側に出っ張っていない。これにより、テープカセット１の通常使用時に、基板８０が配置部７０から外れることが抑制される。配置部７０の上端部および前端部には開口部７４、７５が設けられ、接着層８９が開口部７４、７５から上方および前方に露出しているので、作業者は、開口部７４、７５から工具を接着層８９に差し込むことができる。よって、テープカセット１は、テープカセット１の通常使用時には基板８０が配置部７０から外れることを抑制しつつ、作業者が配置部７０から基板８０を外す際には、基板８０を容易に外すことができる。
【００４７】
基板８０は、Ｙ１方向に長い長方形状であり、Ｙ１方向が前後方向に一致する状態で配置部７０に配置される。この状態で、開口部７４は、配置部７０の上端部、すなわち、Ｙ２方向の一方側に設けられている。例えば、工具を開口部７４から接着層８９に差し込んで配置部７０から基板８０を外す場合、基板８０の開口部７４とは反対側の端部が支点となる。この場合、工具を開口部７５から接着層８９に差し込んで配置部７０から基板８０を外す場合に比べて、支点と工具（力点）との間の距離が小さくなるので、テープカセット１は、配置部７０から基板８０を外す際の基板８０への負荷を抑制できる。
【００４８】
開口部７５は、配置部７０の前端部、すなわち、Ｙ１方向の一方側に設けられている。例えば、工具を開口部７５から接着層８９に差し込んで配置部７０から基板８０を外す場合、基板８０の開口部７５とは反対側の端部が支点となる。この場合、工具を開口部７４から接着層８９に差し込んで配置部７０から基板８０を外す場合に比べて、支点と工具（力点）との間の距離が大きくなるので、作業者は、配置部７０から基板８０を徐々に剥がすことができる。よって、テープカセット１は、基板８０を配置部７０から剥がし終わった際に、作業者が基板８０を剥がした勢いで不用意に基板８０を落とすことを抑制できる。
【００４９】
例えば、工具を開口部７５から接着層８９に差し込んで配置部７０から基板８０を外す場合、基板８０の開口部７５とは反対側の端部が支点となる。その支点を中心に配置部７０から離隔する方向に基板８０が回転すると、モールド部８４の移動軌跡は、前後方向から見て支点を中心とした円弧状を形成する。仮に支点が延びる方向と平行に逃がし凹部７２が延びている場合、側面視でモールド部８４の移動軌跡上に逃がし凹部７２の側壁が存在する。この場合、基板８０を配置部７０から外す際にモールド部８４が逃がし凹部７２の側壁に接触する可能性がある。本実施形態では、開口部７４は、配置部７０の上端部、すなわち、逃がし凹部７２の延伸方向（上下方向）の一方に設けられている。このため、基板８０の開口部７５とは反対側の端部（すなわち、支点）は、逃がし凹部７２の延伸方向と直交して延びる。この場合、側面視でモールド部８４の移動軌跡に沿って逃がし凹部７２の側壁が延びるので、モールド部８４の移動軌跡上には逃がし凹部７２の側壁が存在しない。よって、テープカセット１は、その支点を中心に配置部７０から離隔する方向に基板８０が回転した場合に、モールド部８４が逃がし凹部７２に接触することを抑制できる。
【００５０】
逃がし凹部７２が上下方向に延びているので、接着層８９は、逃がし凹部７２によって、逃がし凹部７２の延伸方向と直交する幅方向（すなわち、前後方向）に分断されているが、逃がし凹部７２の延伸方向と平行な方向（すなわち、上下方向）には分断されていない。例えば、作業者は、基板８０を配置部７０から外す際に、工具としてカッタを開口部７５から接着層８９に差し込んで、前後方向に動作させて接着層８９を切断する場合がある。この場合、開口部７５が、配置部７０の前端部、すなわち、逃がし凹部７２の延伸方向と直交する方向（前後方向）の一方に設けられているので、接着層８９のうち開口部７５から露出する部分が分断されていない。このため、作業者は、カッタを接着層８９に対して上下方向に連続して動作せることができる。よって、テープカセット１は、配置部７０から基板８０を容易に外すことができる。
【００５１】
仮想線Ｋ２は、仮想線Ｋ１よりも左側に配置されている。すなわち、開口壁７４Ａは、第一壁７１および第二壁７３よりも左側に配置されている。これにより、接着層８９の上端部の左右方向における全部が開口部７４から上方に露出するので、作業者は、開口部７４を介して接着層８９を視認しやすい。よって、作業者が工具を接着層８９に差し込んだ場合に、テープカセット１は、工具がモールド部８４に接触することを抑制できる。
【００５２】
右壁５５と左壁５６とは、互いに左右方向に並ぶ。第二排出口６４Ｂが左壁５６に設けられており、配置部７０が右壁５５に設けられているので、テープは第二排出口６４Ｂから配置部７０とは反対側に向けて排出される。これにより、作業者が配置部７０から基板８０を外す際に、テープによって作業者の視線が基板８０から遮られることが抑制される。よって、テープカセット１は、配置部７０から基板８０を外す作業を円滑に進行できる。
【００５３】
基板８０の開口部７４、７５側の上端部８０Ｃおよび前端部８０Ｄには接着層８９が設けられていない。これにより、上端部８０Ｃおよび前端部８０Ｄの位置において、第一壁７１および第二壁７３のそれぞれと基板８０との間には隙間が形成されるので、作業者は、工具を開口部７４、７５からその隙間に差し込むことができる。よって、テープカセット１は、配置部７０から基板８０を容易に外すことができる。
【００５４】
作業者が配置部７０から基板８０を外す場合、接着層８９が両面粘着テープなので、基板８０にかかる応力が両面粘着テープの基材によって緩衝される。よって、テープカセット１は、接着層８９として接着剤等が採用された場合に比べ、配置部７０から基板８０を外す際の基板８０への負荷を抑制できる。
【００５５】
第一壁７１および第二壁７３は、逃がし凹部７２を挟んで前後方向に並ぶ。これにより、基板８０はＹ１方向の両端部側で第一壁７１および第二壁７３にまたがって接着される。このため、基板８０の前端部または後端部の一方のみが配置部７０に接着される場合に比べて、基板８０の配置部７０への接着が安定する。よって、テープカセット１は、テープカセット１の通常使用時に、基板８０が配置部７０から外れることを抑制できる。第一壁７１および第二壁７３とのそれぞれと基板８０との接着部が２つに分かれているので、作業者は、片側ずつ工具を差し込んで配置部７０から基板８０を外すことができる。よって、テープカセット１は、露出面積の大きさが同じ場合、接着部が片側に集まっている場合に比べて、配置部７０から基板８０を容易に外すことができる。
【００５６】
第一壁７１および第二壁７３が、それぞれ、第二面８０Ｂと平行に延びているので、第一壁７１および第二壁７３のそれぞれと基板８０との間には隙間が形成されにくい。このため、第一壁７１および第二壁７３のそれぞれと基板８０との間に隙間が形成される場合に比べて、基板８０の配置部７０への接着が安定する。よって、テープカセット１は、テープカセット１の通常使用時に、基板８０が配置部７０から外れることを抑制できる。
【００５７】
側面視で右壁５５の周端部によって囲まれた矩形領域の内側に基板８０の全部が配置されているので、基板８０は、右壁５５の周端部から外側に出っ張っていない。よって、テープカセット１は、側面視で右壁５５の周端部によって囲まれた矩形領域の外側に基板８０が出っ張っている場合に比べて、テープカセット１の通常使用時に基板８０が引っかかって配置部７０から外れることを抑制できる。
【００５８】
本実施形態において、上壁５３が、本発明の「第一外壁」に相当する。下壁５４が、本発明の「第二外壁」に相当する。右壁５５が、本発明の「第三外壁」に相当する。左壁５６が、本発明の「第四外壁」に相当する。前壁５７が、本発明の「第五外壁」に相当する。後壁５８が、本発明の「第六外壁」に相当する。テープカセット１の上下方向が、本発明の「第一方向」に相当する。テープカセット１の左右方向が、本発明の「第二方向」に相当する。テープカセット１の前後方向が、本発明の「第三方向」に相当する。フィルムテープ７が、本発明の「テープ」に相当する。ＩＣチップ８２が、本発明の「記憶部」に相当する。テープカセット１の左方が、本発明の「第四方向」に相当する。第一壁７１および第二壁７３が、本発明の「底壁」に相当する。配置部７０が、本発明の「第一凹部」に相当する。逃がし凹部７２が、本発明の「第二凹部」に相当する。上ケース５１が、本発明の「第一ケース」に相当する。下ケース５２が、本発明の「第二ケース」に相当する。第二排出口６４Ｂが、本発明の「排出口」に相当する。第一壁７１が、本発明の「第一底壁」に相当する。第二壁７３が、本発明の「第二底壁」に相当する。ヘッド挿入部６１が、本発明の「特定凹部」に相当する。開口部７４、７５が、本発明の「開口部」に相当する。開口壁７４Ａが、本発明の「開口壁」に相当する。支持部４９Ｂが、本発明の「支持部」に相当する。フィルムロール７Ａが、本発明の「テープロール」に相当する。
【００５９】
本発明は、上記実施形態から種々の変更が可能である。図６および図７を参照し、本発明の第一変形例を説明する。以下では、上記実施形態と共通の構成には、上記実施形態と同一符号を付して説明を省略し、上記実施形態と異なる点を主に説明する。
【００６０】
第一変形例では、開口部７４の代わりに開口部１７４が配置部７０に設けられる点が上記実施形態と異なる。開口部１７４は、開口壁１７４Ａ、１７４Ｂを有する。開口壁１７４Ａは、前壁５７の上端部から下方および後方に延び、右方を向く。開口壁１７４Ｂは、開口壁１７４Ａの後端部から右側に右壁５５まで延び、前方を向く。開口壁１７４Ｂの左右方向の長さが開口壁７４Ｂの左右方向の長さよりも短い点が、上記実施形態と異なる。
【００６１】
仮想線Ｋ１１、Ｋ１３は、それぞれ、仮想線Ｋ１、Ｋ３に対応する。仮想線Ｋ１２は、開口壁１７４Ａを通って前後方向に延びる。すなわち、仮想線Ｋ１２は、開口壁１７４Ａの左右方向の位置を示す。
【００６２】
第一変形例では、仮想線Ｋ１２が仮想線Ｋ１１と一致する。すなわち、第一壁７１および第二壁７３に対する開口壁１７４Ａの左右方向の位置が、上記実施形態における第一壁７１および第二壁７３に対する開口壁７４Ａの左右方向の位置と異なる。仮想線Ｋ１３は、仮想線Ｋ１１、Ｋ１２よりも左側に配置される。従って、モールド部８４のうち左側の部分は、上ケース５１と上下方向に重なる。すなわち、上壁５３は、モールド部８４のうち左側の部分を上方から覆う。第一変形例では、開口壁１７４Ａが開口壁７４Ａよりも右側にある分、上壁５３は、上記実施形態よりも平面視でモールド部８４の多くの部分を上方から覆うことができる。
【００６３】
第一変形例では、仮想線Ｋ１２が仮想線Ｋ１１と一致しており、すなわち、開口壁１７４Ａは、第一壁７１および第二壁７３のそれぞれと面一となっている。このため、テープカセット１は、第一壁７１および第二壁７３のそれぞれと開口壁７４Ａとの間に段差がある場合に比べて、工具を摺動させる部分を大きく確保できる。このため、作業者は、工具を摺動させて配置部７０から基板８０を外す場合、工具を容易に扱うことができる。よって、テープカセット１は、配置部７０から基板８０を容易に外すことができる。
【００６４】
図８および図９を参照し、本発明の第二変形例を説明する。以下では、上記実施形態と共通の構成には、上記実施形態と同一符号を付して説明を省略し、上記実施形態および第一変形例と異なる点を主に説明する。
【００６５】
第二変形例では、開口部７４の代わりに開口部２７４が配置部７０に設けられる点が上記実施形態と異なる。開口部２７４は、開口壁２７４Ａ、２７４Ｂを有する。開口壁２７４Ａは、前壁５７の上端部から下方および後方に延び、右方を向く。開口壁２７４Ｂは、開口壁２７４Ａの後端部から右側に右壁５５まで延び、前方を向く。開口壁２７４Ｂの左右方向の長さが上記実施形態の開口壁７４Ｂおよび第一変形例の開口壁１７４Ｂの左右方向の長さよりも短い点が、上記実施形態および第一変形例と異なる。
【００６６】
仮想線Ｋ２１、Ｋ２３は、それぞれ、仮想線Ｋ１、Ｋ３に対応する。仮想線Ｋ２２は、開口壁２７４Ａを通って前後方向に延びる。すなわち、仮想線Ｋ２２は、開口壁２７４Ａの左右方向の位置を示す。
【００６７】
第二変形例では、仮想線Ｋ２２が仮想線Ｋ２１よりも右側に配置される。すなわち、第一壁７１および第二壁７３に対する開口壁２７４Ａの左右方向の位置が、上記実施形態における第一壁７１および第二壁７３に対する開口壁７４Ａの左右方向の位置および第一変形例における第一壁７１および第二壁７３に対する開口壁１７４Ａの左右方向の位置のそれぞれと異なる。仮想線Ｋ２３は、仮想線Ｋ２１、Ｋ２２よりも左側に配置される。従って、モールド部８４のうち左側の部分は、上ケース５１と上下方向に重なる。すなわち、上壁５３は、モールド部８４のうち左側の部分を上方から覆う。第二変形例では、開口壁２７４Ａが上記実施形態の開口壁７４Ａよりも右側にある分、上壁５３は、上記実施形態よりも平面視でモールド部８４の多くの部分を上方から覆うことができる。開口壁２７４Ａが第一変形例の開口壁１７４Ａよりも右側にある分、上壁５３は、第一変形例よりも平面視でモールド部８４の多くの部分を上方から覆うことができる。
【００６８】
第二変形例では、仮想線Ｋ２２が仮想線Ｋ２１よりも右側に配置されており、すなわち、第一壁７１および第二壁７３よりも右側に開口壁２７４Ａが配置されている。これにより、作業者が開口部２７４から工具を接着層８９に差し込んで配置部７０から基板８０を外す場合、開口壁２７４Ａが支点となる。このため。作業者は、てこの原理を利用して配置部７０から基板８０を外すことができる。よって、テープカセット１は、配置部７０から基板８０を外す際の作業者の負担を軽減できる。
【００６９】
図１０および図１１を参照し、本発明の第三変形例を説明する。以下では、上記実施形態と共通の構成には、上記実施形態と同一符号を付して説明を省略し、上記実施形態と異なる点を主に説明する。第三変形例は、第一変形例および第二変形例のそれぞれにも適用できる。
【００７０】
第三変形例では、配置部７０の代わりに配置部３７０が右壁５５に設けられる点が上記実施形態と異なる。配置部３７０は、第三領域Ｒ３に配置される。配置部３７０には、基板８０が配置される。配置部３７０は、右壁５５と同一平面上に形成される。すなわち、配置部３７０は、上記実施形態の配置部７０とは異なり、右壁５５から左方に凹まない。配置部３７０は、右壁５５のうち前壁５７と隣接する位置に配置される。配置部３７０の前端部近傍は、第二排出口６４Ｂと左右方向に重なる。
【００７１】
配置部３７０は、第一壁３７１と逃がし凹部３７２と第二壁３７３とを有する。第一壁３７１および第二壁３７３は、逃がし凹部３７２を間に挟んで前後方向に並ぶ。第一壁３７１、逃がし凹部３７２、および第二壁３７３は、後方から前方に向かってこの順で並ぶ。第一壁３７１および第二壁３７３は、右壁５５と左右方向に同じ位置に配置され、左右方向に直交して延びる。逃がし凹部３７２は、第三領域Ｒ３に配置され、第一壁３７１および第二壁３７３から左方に凹む。逃がし凹部３７２は、上下方向に延びる。逃がし凹部３７２の一部は、第二排出口６４Ｂと左右方向に重なる。
【００７２】
基板８０は、Ｙ１方向（図３参照）とテープカセット１の前後方向とを平行にし、かつ、第一面８０Ａが右方を向いた状態で、配置部３７０に配置される。基板８０は、Ｙ１方向の一方（図３の右側）がテープカセット１の後方および前方のいずれを向いた状態でも配置部３７０に配置できる。
【００７３】
第一壁３７１および第二壁３７３のそれぞれと第二面８０Ｂとの間には接着層８９が配置される。第二面８０Ｂの周端部には、接着層８９は設けられない。すなわち、第二面８０Ｂのうち周端部とは異なる部分にのみ、接着層８９が設けられる。基板８０は、接着層８９を介在させて、第一壁３７１および第二壁３７３にまたがって配置される。モールド部８４およびＩＣチップ８２は、逃がし凹部３７２に配置される。第一壁３７１および第二壁３７３は、それぞれ、第二面８０Ｂと平行に延びる。右壁５５および第一面８０Ａは、左右方向において同じ位置に配置される。
【００７４】
第三変形例では、第一壁７１および第二壁７３が右壁５５と同一平面上にあるので、接着層８９が上下前後に露出する。このため、作業者は、配置部７０から基板８０を外す際、上下前後のいずれの方向からも工具を接着層８９に差し込むことができる。よって、作業者は、工具を差し込みやすい方向から接着層８９に差し込むことができるので、テープカセット１は、配置部７０から基板８０を容易に外すことができる。
【００７５】
図１２および図１３を参照し、第四変形例を説明する。以下では、上記実施形態と共通の構成には、上記実施形態と同一符号を付して説明を省略し、上記実施形態と異なる点を主に説明する。第四変形例は、第一変形例、第二変形例、および第三変形例のそれぞれにも適用できる。
【００７６】
開口壁７４Ａには、遮蔽部材７６が設けられる点が上記実施形態と異なる。遮蔽部材７６は、上ケース５１と一体である。遮蔽部材７６は、板状であり、開口壁７４Ａの前後方向の中央部から右側に突出する。遮蔽部材７６の右端部は、基板８０の上側まで突出する。遮蔽部材７６の前後方向の長さは、モールド部８４の前後方向の長さよりも長い。従って、遮蔽部材７６は、仮想線Ｋ１の位置において、ＩＣチップ８２およびモールド部８４と上下方向に重なる。第四変形例では、遮蔽部材７６は、ＩＣチップ８２およびモールド部８４の全部と上下方向に重なる。
【００７７】
第四変形例では、接着層８９は、仮想線Ｋ１の位置において、開口部７４から上方に露出している。このため、配置部７０から基板８０を外す際、作業者は、仮想線Ｋ１の位置において開口部７４から工具を接着層８９に差し込むことができる。これにより、作業者は、配置部７０から基板８０を容易に外すことができる。仮想線Ｋ１の位置において、遮蔽部材７６がモールド部８４と上下方向に重なっているので、モールド部８４は、開口部７４側から遮蔽部材７６によって覆われる。このため、テープカセット１は、作業者が仮想線Ｋ１の位置において開口部７４から工具を接着層８９に差し込んだ場合に、工具がモールド部８４に接触することを抑制できる。よって、テープカセット１は、作業者が配置部７０から基板８０を外す時にＩＣチップ８２が損傷することを抑制しつつ、容易に基板８０を外すことができる。
【００７８】
遮蔽部材７６がモールド部８４の全部と上下方向に重なっているので、モールド部８４は、全部が開口部７４側から遮蔽部材７６によって覆われる。このため、テープカセット１は、作業者が仮想線Ｋ１の位置において開口部７４から工具を接着層８９に差し込んだ場合に、工具がモールド部８４に接触することをさらに抑制できる。
【００７９】
遮蔽部材７６が上ケース５１と一体をなすので、テープカセット１は、上ケース５１と遮蔽部材７６とが別体の場合に比べて、上ケース５１と遮蔽部材７６を容易に成形でき、かつ遮蔽部材７６の強度を高くしやすい。上ケース５１に対する遮蔽部材７６の位置ずれが抑制される。遮蔽部材７６を上ケース５１に取り付ける必要がないので、遮蔽部材７６の取り付け間違いが抑制され、かつテープカセット１を組み付ける時間が短縮される。作業者、ユーザ等によって、遮蔽部材７６が上ケース５１から間違って外されることが抑制される。
【００８０】
図１４および図１５を参照し、第五変形例を説明する。以下では、上記実施形態と共通の構成には、上記実施形態と同一符号を付して説明を省略し、上記実施形態と異なる点を主に説明する。第五変形例は、第一変形例、第二変形例、および第三変形例のそれぞれにも適用できる。
【００８１】
開口壁７４Ａには、遮蔽部材１７６が設けられる点が上記実施形態と異なる。遮蔽部材１７６は、上ケース５１と一体である。遮蔽部材１７６は、板状であり、開口壁７４Ａの前後方向の中央部から右側に突出する。遮蔽部材１７６の右端部は、基板８０より左側まで突出する。遮蔽部材１７６の前後方向の長さは、モールド部８４の前後方向の長さよりも長い。遮蔽部材１７６は、仮想線Ｋ１の位置において、ＩＣチップ８２およびモールド部８４と上下方向に重なる。第五変形例では、遮蔽部材１７６は、モールド部８４の左端部と上下方向に重なる。
【００８２】
遮蔽部材１７６がモールド部８４の左端部と上下方向に重なっているので、モールド部８４は、左端部が開口部７４側から遮蔽部材１７６によって覆われる。このため、テープカセット１は、作業者が仮想線Ｋ１の位置において開口部７４から工具を接着層８９に差し込んだ場合に、工具がモールド部８４の左端部に接触することを抑制できる。
【００８３】
以下に例示する変形例は、上記実施形態、第一変形例、第二変形例、第三変形例、第四変形例、および第五変形例のいずれにも適用できるが、便宜的に上記実施形態の符号を用いて説明する。例えば、上記実施形態では、テープカセット１は、ラミネートタイプであるが、レセプタタイプ、サーマルタイプ、チューブタイプ等でもよい。上記実施形態では、接着層８９は、両面粘着テープであるが、接着剤等でもよい。
【００８４】
配置部７０の上端部および前端部には、それぞれ、開口部７４、７５が設けられるが、開口部７４、７５のいずれか一方のみが設けられてもよい。配置部７０の下端部に、開口部がさらに設けられてもよい。開口部は、接着層８９を下方に露出する。この場合、作業者は、上方および前方に加え、下方からも基板８０を外すことができる。
【００８５】
上記実施形態では、ＩＣチップ８２は、モールド部８４によって保護されるが、モールド部８４は省略してもよい。テープカセット１は、逃がし凹部７２の代わりに逃がし孔を採用してもよい。逃がし孔は、配置部７０の底壁を左右方向に貫通する。逃がし孔は、本発明の「孔」に相当する。基板８０が配置部７０に配置された状態で、逃がし孔には、ＩＣチップ８２およびモールド部８４が配置される。モールド部８４が省略された場合、基板８０が配置部７０に配置された状態で、逃がし孔には、ＩＣチップ８２が配置される。テープカセット１は、逃がし凹部７２および逃がし孔のいずれも省略してもよい。
【００８６】
上記実施形態では、一対の導電性端子８１のうち前側の導電性端子が、第二排出口６４Ｂと左右方向に重なる。これに対し、一対の導電性端子８１のうち後側の導電性端子が、第二排出口６４Ｂと左右方向に重なってもよい。一対の導電性端子８１のいずれも第二排出口６４Ｂと左右方向に重ならなくてもよい。例えば、一対の導電性端子８１の互いの間の隙間が第二排出口６４Ｂと左右方向に重なってもよい。
【００８７】
基板８０には、導電性端子８１が設けられなくてもよいし、１つの導電性端子８１が設けられてもよいし、３つ以上の導電性端子８１が設けられてもよい。上記実施形態では、一対の導電性端子８１は、金属端子であるが、例えば、導電性樹脂端子でもよい。基板８０には、コンデンサ８３の他に、コイル等の電子部品が設けられてもよい。電子部品は、第二基板領域Ｓ２に配置されることが好ましい。この場合、電子部品は、逃がし凹部７２に配置されるので、テープカセット１は、電子部品が第一壁７１または第二壁７３と接触して損傷することを抑制できる。
【００８８】
一対の導電性端子８１は、Ｙ２方向に長い矩形状であるが、Ｙ１方向に長い矩形状でもよいし、正方形状、円形状等の他の形状でもよい。一対の導電性端子８１は、互いに同一形状であり、Ｙ１方向に並ぶが、互いに異なる形状でもよいし、Ｙ２方向に並んでもよい。
【００８９】
基板８０には、一対の導電性端子８１の代わりに、通信部が設けられてもよい。通信部は、外部機器と無線通信可能であり、ＩＣチップ８２と電気的に接続する。通信部は、例えばＲＦタグである。ＲＦタグは、第一面８０Ａに配置されもよいし、第二面８０Ｂに配置されもよい。ＲＦタグは、第二面８０Ｂに配置される場合には、第二基板領域Ｓ２に配置されることが好ましい。この場合、ＲＦタグは、逃がし凹部７２に配置されるので、テープカセット１は、ＲＦタグが第一壁７１または第二壁７３と接触して損傷することを抑制できる。
【００９０】
上記実施形態では、第二排出口６４Ｂ、配置部７０、および基板８０は、第三領域Ｒ３に配置されるが、第一領域Ｒ１または第二領域Ｒ２に配置されてもよいし、第一領域Ｒ１、第二領域Ｒ２、および第三領域Ｒ３の複数にまたがって配置されてもよい。第二排出口６４Ｂは、上壁５３、下壁５４、右壁５５、前壁５７、または後壁５８に配置されてもよい。配置部７０および基板８０は、上壁５３、下壁５４、左壁５６、前壁５７、または後壁５８に配置されてもよい。
【００９１】
上記実施形態では、右壁５５および第一面８０Ａは、左右方向において同じ位置に配置されている。これに対して、第一面８０Ａは、右壁５５よりも左側に配置されてもよい。この場合、テープカセット１の通常使用時に、基板８０のうち右壁５５よりも右側に出っ張る部位が引っかかって、基板８０が配置部７０から外れることがさらに抑制される。第一面８０Ａは、右壁５５よりも右側に配置されてもよい。
【００９２】
上記実施形態では、第二面８０Ｂのうち上端部８０Ｃおよび前端部８０Ｄには接着層８９が設けられない。これに対し、第二面８０Ｂのうち上端部８０Ｃおよび前端部８０Ｄに接着層８９が設けられてもよい。この場合、テープカセット１は、テープカセット１の通常使用時に基板８０が配置部７０から外れることを抑制できる。
【符号の説明】
【００９３】
１    テープカセット
７    フィルムテープ
４９Ｂ    支持部
５０    カセットケース
５１    上ケース
５２    下ケース
５３    上壁
５４    下壁
５５    右壁
５６    左壁
５７    前壁
５８    後壁
６１    ヘッド挿入部
６１Ａ    第一側壁
６１Ｂ    第二側壁
６３    第一排出口
６４Ａ    進入口
６４Ｂ    第二排出口
７０、３７０    配置部
７１、３７１    第一壁
７２、３７２    凹部
７３、３７３    第二壁
７４、７５、１７４、２７４    開口部
７４Ａ、１７４Ａ、２７４Ａ、７４Ｂ、１７４Ｂ、２７４Ｂ    開口壁
７６、１７６    遮蔽部材
８０    基板
８０Ａ    第一面
８０Ｂ    第二面
８１    導電性端子
８２    ＩＣチップ
８４    モールド部
８９    接着層
【図１】
2019038179.tif 000003
【図２】
2019038179.tif 000004
【図３】
2019038179.tif 000005
【図４】
2019038179.tif 000006
【図５】
2019038179.tif 000007
【図６】
2019038179.tif 000008
【図７】
2019038179.tif 000009
【図８】
2019038179.tif 000010
【図９】
2019038179.tif 000011
【図１０】
2019038179.tif 000012
【図１１】
2019038179.tif 000013
【図１２】
2019038179.tif 000014
【図１３】
2019038179.tif 000015
【図１４】
2019038179.tif 000016
【図１５】
2019038179.tif 000017